(57)【要約】 【課題】実用的でありながらエレガントでゴージャスな雰囲気を醸し出し、料理や食卓が華やかになる食卓用器具の製造方法とその製品を提供する。【解決手段】金属板としてステンレス板１を用い、その全体又は中央部を残して、透かし模様２を施すと共に、周辺部に、上方屈曲部と、下方屈曲部とを形成し、ついで研磨機で前記ステンレス板に磨きをかけた後、前記上方屈曲部を上方へ屈曲させて載置品の受部３を形成し、前記下方屈曲部を下方へ屈曲させて脚４を形成させる。【選択図】図１
2014100193.tif 000002
【特許請求の範囲】
【請求項１】
ステンレス板を用い、その全体又は中央部を残して、透かし模様を施すと共に、周辺部に、上方屈曲部と、下方屈曲部とを形成し、前記上方屈曲部を上方へ屈曲させて載置品の受部を形成し、前記下方屈曲部を下方へ屈曲させて脚を形成させることを特徴とする食卓用器具類の製造方法。
【請求項２】
ステンレス板を用い、その全体又は中央部を残して、透かし模様を施すと共に、周辺部に、上方屈曲部と、下方屈曲部とを形成し、ついで研磨機で前記ステンレス板に磨きをかけた後、前記上方屈曲部を上方へ屈曲させて載置品の受部を形成し、前記下方屈曲部を下方へ屈曲させて脚を形成させることを特徴とする食卓用器具類の製造方法。
【請求項３】
透かし模様をレーザーカットにより施すことを特徴とする請求項１または２記載の食卓用器具類の製造方法。
【請求項４】
ステンレス板の全体又は中央部を残して透かし模様を施すと共に、周辺部に、上方屈曲部と、下方屈曲部とを形成し、前記上方屈曲部を上方へ屈曲させて載置品の受部を形成し、前記下方屈曲部を下方へ屈曲させて脚を形成させることを特徴とする食卓用器具。
【請求項５】
透かし模様はレーザーカットにより形成されたものであることを特徴とする請求項４記載の食卓用器具。
【発明の詳細な説明】
【技術分野】
【０００１】
本発明は、主として食卓上で使用される載置用具、例えば、箸置き、カトラリー置き、果物・菓子・パン・ブーケット等を載置する盆や鉢やバスケット等の食卓用器具類の製造方法とその製品に関するものである。
【背景技術】
【０００２】
従来、箸置きとしては、任意の形状にデザインされた木製、陶磁器製、ガラス製のものが用いられており、またカトラリー（ナイフ、フォーク、スプーン等の金物類）は、テーブルクロス上に直接置き、また菓子、果物等のデザート置きには盆・皿・鉢等が用いられ、またパン受けにはバスケットが用いられていることは周知のとおりであるが、ステンレス製のものはあまりなく、何れの器具も今一華やかさに乏しいものであった。
【先行技術文献】
【特許文献】
【０００３】
【特許文献１】意匠登録第１３４６９２３号公報
【特許文献２】意匠登録第１３８５０３４号公報
【特許文献３】意匠登録第１４１２４６３号公報
【発明の概要】
【発明が解決しようとする課題】
【０００４】
そこで本発明は食卓上に、衛生的で丈夫で錆びずに長持ちするステンレス板を用いそのステンレス板にデザインされた透かし模様を施すことにより、エレガントでゴージャスな雰囲気を醸し出し、料理や食卓が華やかになる食卓用器具類の製造方法とその製品を提供しようとするものである。
【課題を解決するための手段】
【０００５】
本発明は、上記の課題を解決するためになされたもので、請求項１記載の発明は、ステンレス板を用い、その全体又は中央部を残して、透かし模様を施すと共に、周辺部に、上方屈曲部と、下方屈曲部とを形成し、前記上方屈曲部を上方へ屈曲させて載置品の受部を形成し、前記下方屈曲部を下方へ屈曲させて脚を形成させることを特徴とする食卓用器具類の製造方法である。
【０００６】
請求項２記載の発明は、ステンレス板を用い、その全体又は中央部を残して、透かし模様を施すと共に、周辺部に、上方屈曲部と、下方屈曲部とを形成し、ついで研磨機で前記ステンレス板に磨きをかけた後、前記上方屈曲部を上方へ屈曲させて載置品の受部を形成し、前記下方屈曲部を下方へ屈曲させて脚を形成させることを特徴とする食卓用器具類の製造方法である。
【０００７】
請求項３記載の発明は、透かし模様をレーザーカットにより施すことを特徴とする請求項１または２記載の食卓用器具類の製造方法である。
【０００８】
請求項４記載の発明は、ステンレス板の全体又は中央部を残して透かし模様を施すと共に、周辺部に、上方屈曲部と、下方屈曲部とを形成し、前記上方屈曲部を上方へ屈曲させて載置品の受部を形成し、前記下方屈曲部を下方へ屈曲させて脚を形成させることを特徴とする食卓用器具である。
【０００９】
請求項５記載の発明は、透かし模様はレーザーカットにより形成されたものであることを特徴とする請求項４記載の食卓用器具である。
【発明の効果】
【００１０】
請求項１〜３記載の発明によれば、衛生的で扱いやすく、長持ちし、しかも繊細、優雅、華麗な工芸品として価値のある食卓用器具を提供することができる。そして、上方屈曲部と下方屈曲部とを屈曲する前に、研磨機でステンレス板に磨きをかける請求項２記載の発明は，上方屈曲部と下方屈曲部とを屈曲して製品化した後、磨きをかける常法よりも全体を斑なく磨き上げることができ、高品質の製品を提供することが出来る。また請求項４及び５記載の発明に係る食卓用器具を使用することにより、食卓上に、エレガントでゴージャスな雰囲気を醸し出し、料理や食卓に華やかさを付与することができる。また、衛生的で扱いやすく、長持ちをする便利な食卓用器具を提供できる。
【図面の簡単な説明】
【００１１】
【図１】本発明実施例１における金属板の展開図。
【図２】本発明実施例１の使用状態を示す側面図。
【図３】本発明実施例２における金属板の展開図。
【図４】本発明実施例２の使用状態を示す側面図。
【図５】本発明実施例３における金属板の展開図。
【図６】本発明実施例３の使用状態を示す側面図。
【図７】本発明実施例４における金属板の展開図。
【図８】本発明実施例４の使用状態を示す側面図。
【図９】本発明実施例５における金属板の展開図。
【図１０】本発明実施例５の斜視図。
【図１１】本発明実施例６における金属板の展開図。
【図１２】本発明実施例６の斜視図。
【発明を実施するための形態】
【００１２】
以下、本発明を適用して作成した食卓用器具類、ここでは、箸置き、カトラリー置き及びバスケットの実施例について説明する。しかし本発明はこれらの食卓用器具類のみに限定されるものでないことは勿論である。
【実施例１】
【００１３】
図１及び図２は、本発明を箸置きに適用した場合の実施例を示すもので、厚さ２ｍｍのステンレス板１を使用し、まず、図１に示すようにレーザー加工機を用いて、○印で指示する上方屈曲部と、●印で指示する下方屈曲部とを備えた花柄の透かし模様２を施し、次いでその透かし模様２を施したステンレス板１に研磨機で磨きをかけた後、図２に示すように前記○印で指示した上方屈曲部を上方へ屈曲させて載置品の脱落を防止する受部３を形成し、また前記●印で指示した下方屈曲部を下方へ屈曲して脚４を形成することにより箸置き５を完成させる。
【００１４】
図２中、６は箸を示し、先端部を製品、即ち箸置き５に載置させる。またこの実施例の製品は箸置きとしてのみならず、ローソク７を載置することができるので、キャンドルスタンドとしても用いられる。
【００１５】
また、この実施例１の箸置き５はステンレス板製であるから丈夫且つ衛生的であるばかりでなく、光り輝く美しさを持ち、しかも透し模様２はレース状の花柄デザインであるため、繊細さと優雅・華麗さを備えているので、卓上に置くだけで美術工芸品の様相を呈し、卓上に華やかさを付与する効果がある。
【００１６】
なお、この実施例１において、上方屈曲部と下方屈曲部とを屈曲する前に、ステンレス板１に研磨機で磨きをかけるようにしたが、この方法は、上方屈曲部と下方屈曲部とを屈曲して箸置き５を形成してから研磨する常法よりも全体を斑なく美しく仕上げることができる利点がある。
【実施例２】
【００１７】
図３及び図４は、前記実施例1と同様本発明を箸置きに適用した場合の実施例を示すもので、図１及び図２に示した実施例と異なる点は、透かし模様２’のデザインをつる草模様として点であり、厚さ２ｍｍのステンレス板１を使用したことと、その製造方法は実施例１と同様である。従ってその製品の特徴及び効果も実施例１の場合と同様である。
【実施例３】
【００１８】
図５及び図６は、本発明をカトラリー置きに適用した場合の実施例を示すもので、実施例１及び２と同様厚さ２ｍｍのステンレス板１１を使用し、先ずレーザー加工機を用いて、○印で指示した上方屈曲部と、●印で指示した下方屈曲部とを備えた花柄の透かし模様１２を施し、次いでその透かし模様１２を施したステンレス板１１に研磨機で磨きをかけた後、図６に示すように前記○印で指示した上方屈曲部を上方へ屈曲させて載置品の脱落を防止する受部１３を形成し、また前記●印で指示した下方屈曲部を下方へ屈曲して脚１４を形成することによりカトラリー置き１５を完成させる。
【００１９】
このようにして形成されたカトラリー置き１５にカトラリー（図示せず）を置く場合、前記実施例１と２の図２と図４に示した箸６のように、カトラリーの先端部を上方屈曲部間に載置する。
【００２０】
前述のように、従来カトラリーはテーブルクロス上に直接置いていたため、カトラリーを取り上げ難かったが、本発明に係る前記カトラリー置きを使用することによりカトラリーが取り上げやすくなり、また、ナイフ、フォーク、スプーン、箸等の何種類も同時に載置できる利便さがある。しかもデザイン的に繊細で、優雅・華麗さを持つカトラリー置きとのコラボレーションにより、食卓上に華やかさを付与する効果がある。なお、このカトラリー置き１５は、カトラリー置きとしてだけでなく図６に示すように、おしぼり８を載置するおしぼり置きとしても用いることができる。
【実施例４】
【００２１】
図７及び図８は実施例３と同様、本発明をカトラリー置き１５’に適用した場合の実施例を示すもので図５及び図６に示した実施例と異なる点は、透かし模様１２’のデザインをつる草模様とした点であり、厚さ２ｍｍのステンレス板１１を使用したことと、その製造方法を実施例３と同様の製作工程で製品化することは同様である。またその特徴及び効果も実施例３の場合と同様である。
【実施例５】
【００２２】
図９及び図１０は、本発明を果物・菓子・パン或いはブーケット等を入れる大型のバスケットに適用した場合の実施例を示すもので、その製造方法は、金属板として前記各実施例と同様厚さ２ｍｍのステンレス板２１を使用し、先ずレーザー加工機を用いて、図９に示すように中央部２１ａを残して周辺部に上方屈曲部ａ１，ａ２，ａ３と、下方屈曲部ｂ１，ｂ２，ｂ３とを備えた花柄の透かし模様２２を施し、次いでその透かし模様２２を施したステンレス板２１に研磨機で磨きをかけた後、図１０に示すように前記上方屈曲部ａ１，ａ２，ａ３を上方へ屈曲させて載置品の脱落を防止する受部２３、２３，２３を形成し、また前記下方屈曲部ｂ１，ｂ２，ｂ３を下方へ屈曲して脚２４、２４，２４を形成してバスケットとしての製品を完成させるものである。
【００２３】
このようにして製作されたバスケットは、デザインの繊細さと、優雅・華麗さ及びステンレスの持つ輝きにより、卓上に置くだけで美術工芸品の様相を呈し、食卓に華やかさを与え、更に果物や菓子或いはパン又はブーケット等の載置品を収納した場合、バスケットの透かし模様と収納物の色彩とのコントラストにより模様が一層明瞭になり、目を楽しませる効果が一段と強くなる効果があり、従来使われてきた器よりも一段と卓上を豊かにする効果がある。また、衛生的で上部で長持ちし、利便性がある。
【実施例６】
【００２４】
図１１及び図１２は、本発明を実施例５と同様、果物・菓子・パン又はブーケット等を入れる小型のバスケットに適用した場合の実施例を示すもので、その製造方法は厚さ２ｍｍのステンレス板３１を使用し、先ずレーザー加工機を用いて、図１１に示すように中央部３１ａを残して周辺部に上方屈曲部Ａ１，Ａ２と、下方屈曲部Ｂ１，Ｂ２，Ｂ３とを備えた花柄の透かし模様３２を施し、次いでその透かし模様３２を施したステンレス板３１に研磨機で磨きをかけた後、図１２に示すように前記上方屈曲部Ａ１，Ａ２を上方へ屈曲させて載置品の脱落を防止する受部を形成し、また前記下方屈曲部Ｂ１，Ｂ２，Ｂ３を下方へ屈曲して脚を形成してバスケットとしての製品を完成させるものである。
【００２５】
このようにして製作された小型バスケットは、前記実施例５の大型バスケットと同様の効果があり、食卓用器具として従来の器より格段に優れたものである。また、ローソクを中央に置き、キャンドルスタンドとしても使用でき、利便性が高く、炎を灯した時にできる影は美しい。
【００２６】
本来、ステンレスの金属は加工が難しいため、本発明にかかる食卓用器具のように細やかな模様のものは市場には出回っていないが、本発明ではステンレス板を用い、そのステンレス板にデザインを工夫した透かし模様を施すことにより曲げ加工を可能にし新しい食卓器具を提供することができた点に特徴を持っている。ステンレス板は錆びの心配がなく、衛生的で扱いやすく、長持ちするばかりでなく、輝きがあり、食卓器具として最適である。また、ステンレス板の厚さは、２ｍｍに限定されるものではないが、強度及び製作上の問題から厚さ２ｍｍが好ましい。
【産業上の利用可能性】
【００２７】
ここでは食卓用器具の製造方法として提案したが、例えば、動物用食事台器具やインテリアの照明器具の製造方法としても適用することができる。
【符号の説明】
【００２８】
１、１１，２１，３１                    ステンレス板
２，２’，１２，１２’，２２，３２      透かし模様
３，２３                                受部
４，２４                                脚  
５，５’                                箸置き
６                                      箸
７                                      ローソク
８                                      おしぼり
１５，１５’                            カトラリー置き
ａ１，ａ２，ａ３，Ａ１，Ａ２            上方屈曲部
ｂ１，ｂ，２，ｂ３，Ｂ１，Ｂ２，Ｂ３    下方屈曲部
２１ａ，３１ａ                          中央部
【図１】
2014100193.tif 000003
【図２】
2014100193.tif 000004
【図３】
2014100193.tif 000005
【図４】
2014100193.tif 000006
【図５】
2014100193.tif 000007
【図６】
2014100193.tif 000008
【図７】
2014100193.tif 000009
【図８】
2014100193.tif 000010
【図９】
2014100193.tif 000011
【図１０】
2014100193.tif 000012
【図１１】
2014100193.tif 000013
【図１２】
2014100193.tif 000014